(57)【要約】      （修正有）【課題】弱い風でも風車が正回転して発電を行うことが出来、風車がむき出しでないので騒音が少なく、装置の形状からして狭い場所でも設置できるなど、設置場所を選ばない垂直軸風車式発電装置を提供する。【解決手段】多角形の蓋１と土台５との間に垂直に配置された風力案内板となる仕切り板２とからなるもので、仕切り板２が蓋１の多角形の頂点から内部方向に向けて辺に対して一定の角度で多角形の頂点と同数配置されている多角筒型体と、該多角筒型体の中心に配置される回転軸４の円周方向に４角形の羽根３を複数枚取り付け、その回転軸４の一端が蓋１に軸支し、他の一端が土台５に軸支されるとともにその先に発電機が連結されている垂直軸風車と、からなる。【選択図】図１
0003133562.tif 000002
【実用新案登録請求の範囲】
【請求項１】
８角筒型の各角の内部方向に一定の角度（各面に対し４５度）で一定の大きさの仕切り板（８枚）で区切られた、風の吹き込み口から吹き込んだ風力により、中央部に設置した風車を正回転させ、その回転を発電機に伝えて発電を行う発電装置。
【請求項２】
風車は垂直軸で４角形の羽根複数を有するものである。
【考案の詳細な説明】
【技術分野】
【０００１】
本考案は8角筒型装置の内部で垂直軸風車を正回転させて発電する発電装置に関するものである。
【背景技術】
【０００２】
従来の風力発電装置は主として水平軸で風車がむき出しで大型なものである。
【０００３】
したがって風が弱いと風車が回転せず、発電が行えない、騒音がする、設置するのにかなり広い土地が必要である等の欠点がある。
【考案の開示】
【考案が解決しようとする課題】
【０００４】
本考案は以上のような従来の欠点を解消し、弱い風でも風車が正回転して発電を行うことが出来、風車がむき出しでないので騒音が少なく、装置の形状からして狭い場所でも設置できるなど、設置場所を選ばない垂直軸風車式発電装置を提供することを目的としている。
【０００５】
本考案の前記ならびにその他の目的と新規な特徴は次ぎの説明を添付図面と照らし合わせて読むと、より完全に明らかになるであろう。
ただし、図面はもっぱら解説のためのものであって、本考案の記述的範囲を限定するものではない。
【課題を解決するための手段】
【０００６】
上記目的を達成するために本考案は、請求項１の構成要件とで垂直軸風車式発電装置を構成している。
【０００７】
請求項２が従来の水平軸風車の音響や危険性や設置場所の問題を解決し、他の垂直軸のものの構造の煩雑さを解決している
【考案の効果】
【０００８】
以上の説明から明らかなように、本考案は（請求項１）と（請求項２）の構成要件で構成されているので、風力を全面的に効率良く取り込み、風車を有効適切に正回転させることか゛出来、風の強弱にかかわらず発電することが出きる。
【０００９】
装置の大きさ（高さや太さ）を変化させることで、必要に応じた発電が出来、またその数を増やすことにより、それだけ多量の発電ができる。本考案の発電装置は風力で発電するので全く経費を必要とせず、無限に発電しても全くクリーンなので，今後の環境悪化やエネルギー不足の防止にも役立つ。
【００１０】
本装置は構造が簡単なので安価で大量生産することが出来，広く普及させる
ことが可能で，家庭電化などを向上させ，企業などの自家発電にも利用でき、経済的波及効果も期待できる。
【考案を実施するための最良の形態】
【００１１】
以下、図面に示す考案を実施するための最良の形態により本考案を説明すると、本考案の装置の構造が全く簡単そのもので、風の性質を素直にまた極度に利用したものである。
【００１２】
本考案は図２に示す８角筒型の各角の内側に等間隔・等角度（各面に対し４５度）に配置された４角形（８枚）の仕切り板の間から吹き込んだ風力により中央部の、図３に示す風車を正回転させて発電する装置で，回転軸の上部は屋根(蓋)に、下部は土台にベアリング等で回転を妨げないように固定し，発電機に接続する。
【００１３】
本考案は極度の強風などに備えて、装置の構造を十分な強度を持ったものに作り上げて置くことによって、最大限の効果を発揮することが出来る。本考案の装置は、自然に何処から吹いてくる風でも、風上から装置内に入った風が、装置内を通って、風下から出て行く時に風車を正回転させるだけのものであるから、倒れたり壊れたりしない限り、正常に発電を続行することができる。
【００１４】
本考案の装置は形体（大小）を必要に応じて作ることが出来るので、発電機もそれに対応したものを使用することによって有効適切な発電が行える。
【産業上の利用可能性】
【００１５】
従来の（プロペラ式）発電装置が設置できるようなところならば，本考案の垂直軸風車式発電装置はかなり大型のものが，何倍も数多く設置出来、風当たりも良いので、それだけ多量の発電を行うことが出来、それ自体産業として成り立つ可能性は十分に在るが，一方、多くの企業や工場などが所在地のビルの屋上や空き地などに設置して自家用の動力や照明などに広く利用できる。
【図面の簡単な説明】
【００１６】
【図１】本装置の外観をイメージし，実施方法を示した説明図である。各仕切り板の上部は屋根（蓋）に、下部は土台にボルト・ナットなどで強く固定する。
【図２】本装置の屋根（蓋）を取り除いて，内部の構造を示した説明図である。
【図３】本装置の中央部で回転する風車（この場合は３枚羽根）をイメージした説明図である。４角形の羽根が全面に風をまともに受けて正回転するので効率が良い。
【図４】本装置を輪切りにして内部の状態を示した説明図である。回転軸と各点線の部分の中央部との間の長さの２／３が風車の横幅、１／３が仕切り板の横幅の長さとなっている。
【符号の説明】
【００１７】
１．屋根（蓋）
２．仕切り板
３．風車
【図１】
0003133562.tif 000003
【図２】
0003133562.tif 000004
【図３】
0003133562.tif 000005
【図４】
0003133562.tif 000006
【手続補正書】
【提出日】平成19年5月9日(2007.5.9)
【手続補正１】
【補正対象書類名】実用新案登録請求の範囲
【補正対象項目名】全文
【補正方法】変更
【補正の内容】
【実用新案登録請求の範囲】
【請求項１】
多角形の蓋1と土台5との間に垂直に配置された風力案内板となる仕切り板2とからなるもので、仕切り板2が蓋1の多角形の頂点から内部方向に向けて辺に対して一定の角度で多角形の頂点と同数配置されている多角筒型体と、該多角筒型体の中心に配置される回転軸4の円周方向に4角形の羽根3を複数枚取り付け、その回転軸4の一端が蓋1に軸支し、他の一端が土台5に軸支されるとともにその先に発電機が連結されている垂直軸風車と、からなることを特徴とする垂直軸風車式発電装置。
【請求項２】
前記多角形の蓋1は8角形でありその頂点から内部方向に向けて配置された仕切り板2の一定角度は辺6に対して45度であることを特徴とする請求項1記載の垂直軸風車式発電装置。
【手続補正２】
【補正対象書類名】明細書
【補正対象項目名】全文
【補正方法】変更
【補正の内容】
【考案の詳細な説明】
【技術分野】
【０００１】
本考案は8角筒型装置の内部で垂直軸風車を正回転させて発電する発電装置に関するものである。
【背景技術】
【０００２】
従来の風力発電装置は主として水平軸で風車がむき出しで大型なものである。
【０００３】
したがって風が弱いと風車が回転せず発電が行えない、騒音がする，設置するのにかなり広い土地が必要である等の欠点がある。                      
【考案の開示】
【考案が解決しようとする課題】
【０００４】
本考案は以上のような従来の欠点を解消し，弱い風でも風車が正回転して発電を行うことが出来，風車がむき出しでないので騒音が少なく，装置の形状からして狭い場所でも設置できるなど，設置場所を選ばない垂直軸風車式発電装置を提供することを目的とし，従来の水平軸風車の音響や危険性や設置場所の問題を解決し，他の垂直軸のものの構造の煩雑さを解決するための垂直軸風車式発電装置を提供するものである。
【０００５】
本考案の前記ならびにその他の目的と新規な特徴は、次ぎの説明を添付図面と照らし合わせて読むと、より完全に明らかになるであろう。
ただし、図面はもっぱら解説のためのものであって、本考案の記述的範囲を限定するものではない。
【課題を解決するための手段】
【０００６】
上記目的を達成するために、本考案は多角形の蓋１と土台５との間に垂直に配置された、風力案内板となる仕切り板２とからなるもので、仕切り板２は蓋１の多角形の頂点から内部方向に向けて辺に対して一定の角度で多角形の枚数分配置されている多角筒型体と，該多角筒型体の中心に配置される回転軸4の円周方向に4角形の羽根3を複数枚取り付けたものであって、回転軸4の一端が蓋1に軸支され、他端側が土台5に軸支されるとともにその先に発電機が連結されている垂直軸風車とからなることを特徴とする垂直軸風車式発電装置を構成している。
【０００７】
第２の考案は、前記多角形の蓋１は８角形であり、その頂点から内部方向に向けて配置された仕切り板2の一定角度は，辺6に対して４５度であることを特徴とすることで、具体的に垂直軸風車式発電装置を構成している。
【考案の効果】
【０００８】
以上の説明から明らかなように、本考案は風力を全面的に効率良く取り込み，風車を有効適切に正回転させることが出来，風の強弱にかかわらず発電することが出来る。
【０００９】
装置の大きさ（高さや太さ）を変化させることで、必要に応じた発電が出来，また，その数を増やすことにより，それだけ多量の発電が出来る。本考案の発電装置は風力で発電するので，全く経費を必要とせず，無限に発電しても全くクリーンなので，今後の環境悪化やエネルギー不足の防止にも役立つ。
【００１０】
本装置は構造が簡単なので，安価で大量生産することが出来，広く普及させることが可能で，家庭電化などを向上させ，企業などの自家発電にも利用でき、経済的波及効果も期待できる。
【考案を実施するための最良の形態】
【００１１】
以下，図１ないし図４に示す考案を実施するための最良の形態により本考案を説明する。本考案の装置は構造が全く簡単そのものであり，風の性質を素直にまた極度に利用したものである。
【００１２】
図において、１は８角形の平板からなる蓋(屋根)である。２は蓋１の各角の内側に等間隔・等角度に配置された８枚の４角形の仕切り板であり、下側は土台５に固定されている。この蓋１と８枚の仕切り2と土台５とで囲まれた部分が８角筒型の構造物である。該構造物の中心に設置される垂直軸風車（図3）は、回転軸４に３枚の羽根を取り付けたもので、回転軸4の上部は蓋１に，下部は土台５にベアリング等で回転を妨げないように固定されるとともに，土台５の下部に配置されている発電機（図示していない）に接続されている。
【００１３】
また、回転軸４と各点線の部分の中央部（即ち，８角筒型の辺６の中央）との間の長さの約２／３が垂直軸風車の羽根の横幅（即ち，４角形の羽根の幅）で、約１／３が４角形の仕切り板2の横幅の長さで，仕切り版２は８角形の角て，辺に対して４５度の角度で設けられている。
【００１４】
このように構成された本考案を実施するための最良の形体により，８画筒型の８枚の仕切りの間（辺６）から吹きこんだ風力が中央部の風車（図3）を正回転させて，回転軸４に接続されている発電機（図示していない）を駆動させて発電する装置である。
【００１５】
本考案は極度の強風などに備えて，装置の構造を十分な強度を持ったものにすることによって，最大限の効果を発揮することが出来る。本考案の装置は，自然に何処から吹いてくる風でも，風上から装置内に入った風が，装置内を通って，風下から出て行く時に風車（図３）を正回転させるだけのものであるから、倒れたり壊れたりしない限り，正常に発電を続行することが出来る。
【００１６】
本考案の装置は形体の大小を必要に応じて製作することが出来るので，発電機もそれに対応したものを使用することによって有効適切な発電が行える。
【００１７】
従来のプロペラ式発電装置が設置できるようなところならば，本考案の垂直軸風車式発電装置はかなり大型のものでも，何倍も数多く設置出来、それだけ多量の発電を行うことが出来，それ自体産業として成り立つ可能性は十分に在るが，一方，多くの企業や工場などが所在地のビルの屋上や空き地などに設置して自家用の動力や照明などに広く利用できる。
【図面の簡単な説明】
【００１８】
【図１】本考案を実施するための最良の形態の全体を示す斜視図である。
【図２】本装置の蓋１を取り除いて，内部の構造を示した説明図である。
【図３】本装置の風車を示す斜視図である。
【図４】本装置を輪切りにして内部の状態を示した説明図である。
【符号の説明】
【００１９】
１  蓋（屋根）
２  仕切り板
３  風車の羽根
４  回転軸
５  土台
６  辺
【手続補正３】
【補正対象書類名】図面
【補正対象項目名】全図
【補正方法】変更
【補正の内容】
【図１】
0003133562.tif 000007
【図２】
0003133562.tif 000008
【図３】
0003133562.tif 000009
【図４】
0003133562.tif 000010